(57)【要約】【課題】  外気の流通路を遮断する作動に支障をきたすことがない防火手段を備えた軒天換気装置の提供。【解決手段】  換気フレーム２にシャッター装置３を組み合わせて構成する。換気フレーム２は軒天側への取り付け部分を有する。シャッター装置３は、換気フレーム２へ取り付けるためのベース板１４とこれに対して面接触しながらスライド移動が可能なシャッター板１５を備え、シャッター板１５とベース板１４との間にシャッター板１５を閉じ方向へ付勢する引きばね１６とシャッター板１５を開放状態に維持する温度ヒューズを設ける。シャッター板１５はスライド移動なので他のものと衝突しにくい。換気フレームは単独で軒天に取り付けて利用することがある。【選択図】      図３
2005030166.tif 000002
【特許請求の範囲】
【請求項１】
換気フレームと換気フレームの内面側にシャッター装置を備え、換気フレームは外気の流通孔と軒天側への取り付け部を有し、シャッター装置はベース板とシャッター板を備え、ベース板に設けた窓孔をベース板の面に沿ってスライド移動するシャッター板で遮蔽できる構造であり、シャッター板を前記の窓孔を閉じる方向に付勢するばねで付勢すると共に、ばねの付勢に抗してシャッターを窓孔が開放された状態に維持する温度ヒューズを備えていることを特徴とした軒天換気装置。
【請求項２】
シャッター装置のベース板は窓孔を備えた垂直部とその内側に位置するリブを有し、垂直部にシャッター板をスライド可能に装着すると共に、リブを軒天井材の外端縁が当接する高さとしてあることを特徴とした請求項１に記載の軒天換気装置。
【請求項３】
軒天井材の内側縁と建物の壁側部材との間に間隙を形成し、この部分に請求項１に記載の軒天換気装置を取り付けてあることを特徴とした軒天構造。
【発明の詳細な説明】
【技術分野】
【０００１】
この発明は、木造住宅の軒天（軒裏）に取り付ける換気装置とこの装置を取り付けた軒天構造に関する。
【背景技術】
【０００２】
木造住宅では、壁間や屋根裏に空気が滞留しないように、小屋裏に換気装置を設けることとなっている。
特開２００１−１８２１８１号公報が開示する小屋裏換気装置はその一つであり、軒天（木造住宅において屋根の小屋構造部分が建物外壁よりも張り出す部分）に換気装置を設けている。
また、この種の換気装置は通常開口したままであるが、防火指定地区では、近隣に火災が発生したときにその火炎が小屋裏へ吹き込んで被害を受けないように、火熱を感知して開口部を遮断する防火手段を備えたものを用いる。
【０００３】
前記の特開２００１−１８２１８１号公報が開示する小屋裏換気装置では、開口部を設けた換気フレームの内面（小屋内側）に板状のダンパーを一辺側を軸として回動可能に取り付け、平常はこれを温度ヒューズによりばねに抗して開き方向へ突っ張っておき、火熱で温度ヒューズが溶断されると、ばねによってダンパーが回動して開口部を閉じる。
【特許文献１】特開２００１−１８２１８１号公報
【発明の開示】
【発明が解決しようとする課題】
【０００４】
前記のように、火熱で温度ヒューズが溶断されると、ばねの付勢でダンパーが回動し、開口部を閉じる防火手段は、引火を未然に防ぐ手段として優れているが、ダンパーは回動型であるため、閉じるとき開口部に対して面外方向（開口部面に直交する方向）に移動し、その間に何かが挟まると完全に閉じない場合が想定される。例えば、施工時の不注意でダンパーが閉じるときにその先端縁が軒天井材の端部に接触する配置になっていると、ダンパーが完全に閉じない場合が考えられる。このような事態を避けるために施工は充分な注意のもとにおこなわれているが、換気装置を取り付けるときはその内側が作業者から見えないめくら部分となる事情もある。
この発明は、仮に少々荒っぽい取付け方をしたとしても、開口部を閉じる作動に支障をきたすことがない軒天換気装置の提供を課題とする。
【課題を解決するための手段】
【０００５】
換気フレームとシャッター装置の組合せとする。換気フレームは通気孔を有する。通気孔はガラリ構造とすることが多い。
シャッター装置は、換気フレームの通気孔を通過する空気の流れを遮断して加熱の侵入を防止する防火手段であり、窓孔を設けたベース板と窓孔を開閉するシャッター板を備える。シャッター板はスライド移動してベース板の窓孔を閉じる。シャッター板はベース板に対してばねで窓孔を閉じる方向に常時付勢されているが、平常は両者の間に設定した温度ヒューズにより窓孔を開いた状態に維持されている。シャッター板は窓孔を設けたベース板の部分をその面に沿って平行に移動する（スライド移動）構造とする。
シャッター装置のベース板にスライド移動するシャッター板よりも内側に位置したリブを設け、このリブを軒天井材の外端縁が当接する高さとする。
【発明の効果】
【０００６】
シャッター装置のシャッター板はベース板の窓孔を閉じるとき、窓孔を形成してある面と平行にスライド移動し、従来のダンパーのように回動しないので、作動時にシャッター板が小屋構造の内側へ張り出すことがない。そのため、シャッター板が閉じ方向へ移動するとき他の部材と衝突したり、他の部材を挟み込んだりする危険がほとんどない。また、回動型ダンパーのように作動する時の張り出し量を予想して他の部材と干渉しないように注意しながら取り付けるというわずらわしさがない。
シャッター装置のベース板がシャッター板よりも内側にリブを有し、このリブがシャッター板に軒天井材の内端縁が接触するのを防止するので、施工の際の不都合でシャッター板のスライド移動に支障をきたすことがほとんどない。
【発明を実施するための最良の形態】
【０００７】
換気フレームにシャッター装置を組み合わせた形態とする。
換気フレームは鋼板をプレス加工したもので、断面において垂直部と水平部およびその間の被覆部を備え、垂直部で軒先の下地材に固定し、水平部で軒天井材を支持する。そして、被覆部は、鼻隠し材と軒天井材の外縁との間に形成された換気用間隙を覆う形となる。被覆部は長手方向に通気用のガラリ構造を備える。換気フレームは軒先ばかりでなく、軒天井材の内縁と外壁との間に形成した換気用間隙に取り付けることもある。
換気フレームは例えば４５５ｍｍの長さを基準としてその整数倍の長さを製品とすることもある。
シャッター装置は、換気フレームへ取り付けるためのベース板とこれに対して面接触しながらスライド移動が可能なシャッター板を備え、シャッター板とベース板に窓孔（開口部）を設け、両方の窓孔が一致しているとき、換気フレームを通過した空気が小屋構造内に流通する。また、ベース板とシャッター板の間にはシャッター板を閉じ方向へ付勢するばねが配置されると共に、温度ヒューズを備えている。温度ヒューズは、シャッター板を前記のばねに抗して窓孔を開いた位置に維持する。温度ヒューズは火熱を感知して作動し、シャッター板がばねの付勢で窓孔を閉じる方向へ移動するのを許容する手段一般を意味する。半だのような低溶融合金による結合構造を持つものが一般的である。
換気フレームにシャッター装置を組み合わせ、シャッター装置のベース板を換気フレームにスポット溶接などして一体化する。
なお、防火指定区域外では軒天の換気装置は防火手段を備えなくてもよいことになっており、その場合は、換気装置として換気フレームだけを用いることができる。すなわち、この発明は換気フレームにシャッター装置を組み合わせた技術的思想であり、シャッター装置が不要な場合には換気フレームだけで製品とできるものである。
【実施例】
【０００８】
図１は、この発明による軒天換気装置１の実施例であって、換気フレーム２とその内面側に配置するシャッター装置３を備える。
換気フレーム２（図２）は、１枚のステンレス鋼板を板金加工して形成してあり、横断面において垂直な取り付け部４と水平な飾り縁部５及びその間の傾斜した面である被覆部６からなり、取り付け部４と被覆部６との間に水平な段部７を、被覆部６と飾り縁部５との間に垂直部８を有する。取り付け部４にはくぎ打ち用の孔９と仮止め用の爪１０が形成されている。飾り縁部５は建物側の端縁が上方へ折り曲げられてリブ１１となっている。そして、被覆部６には長手方向に空気流通孔としてスリット１２が多数整列して形成されている。図２（ロ）のように、各スリット１２はプレス加工で押出したフード１３（図３）を備えていて長手方向の一方に向いて開口し、全体としてはガラリ構造になっている。
換気フレーム２の取り付け部４は水平な飾り縁部５に対して飾り縁部５側へわずかに傾斜（８９°）している。これは、鼻隠し２９の下地板３１へ取り付け部４を固定して換気フレーム２を取り付けたとき（図５）、飾り縁部５の壁側縁が上がり気味に傾斜するようにし、飾り縁部５の壁側縁が軒天井材２８の下面にぴったりと当って隙間を生じないようにするためである。
【０００９】
シャッター装置３は、ベース板１４とシャッター板１５及び引きばね１６を備える。ベース板１４とシャッター板１５はステンレス鋼版のプレス成形品である。
ベース板１４は、断面において上水平部１７と下水平部１８及びその間の垂直部１９およびリブ２０を有し、垂直部１９に同じ大きさの窓孔２１を等間隔に形成してある。窓孔２１間の間隔は窓孔２１と同じ長さである。また、垂直部１９の長手方向へ適宜間隔でかつ窓孔２１間の上下に外面側からの押出しによるガイド爪２２を形成してある（図２,３）。符号２３は温度ヒューズ取り付け部であり、ベース板１４の長手方向ほぼ中央部にある窓２１の一辺から突出して形成してある（図４）。
【００１０】
シャッター板１５は平らな板体であり、ベース板１４の窓孔２１と同じ大きさの窓孔２４をこの窓孔２４と同じ長さの間隔を取って等間隔に形成してある。また、長手方向ほぼ中央部の窓孔２４の一辺から前記の温度ヒューズ取り付け部２３と対向する位置にシャッター板１５側の温度ヒューズ取り付け部２５を形成してある。シャッター板１５側の窓孔２４には、右又は左の隅部に窓孔内側への張り出し部３３を有するものがあるが、この張り出し部３３はシャッター板１５が閉じ作動してベース板１４の窓孔２１を閉じたとき、ガイド爪２２の抜き孔をも閉鎖できるようにしたものである。
符号２６,２７は、ばね掛け部であり、ベース板１４側のばね掛け部２６はシャッター板１５がばね１６で引かれた時のストッパーを兼ねている。
換気フレーム２及びシャッター装置３におけるベース板１４やシャッター板１５はカチオン電着・アクリル樹脂焼き付け塗装などの仕上げ加工を施して、外観と耐久性を向上してある。
【００１１】
ベース板１４にシャッター板１５を重ね、前記の上下ガイド爪２２にシャッター板１５を長手方向でスライド可能にガイドさせる。そして、ベース板１４側のばね掛け２６とシャッター板１５側のばね掛け２７間にばね１６を掛ける。そして、ばね１６を引き伸ばしながらシャッター板１５を引き、１つの窓孔の長さ分を移動させてシャッター板１５の窓孔２４がベース板１４の窓孔２１と一致したところで双方の温度ヒューズ取り付け部２３，２５間に温度ヒューズを固定し、シャッター装置３を完成する。ばね１６の張力は強力なものとし、また、シャッター板１５の先端縁がばね掛け２６に衝突したときは窓孔２１の長さに相当する距離をスライド移動しシャッター板１５の間隔部でベース板１４の窓２１を完全に遮蔽した状態となるようにする。
【００１２】
図３の断面図に示すように、シャッター装置３の上水平部１７を換気フレーム２の段部７に掛け、下水平部１８を換気フレーム２の飾り縁部５の内面に載置して組み付け、ベース板１４の上水平部１７を換気フレーム２の段部７へスポット溶接してシャッター装置３を換気フレーム２へ固定する。このときシャッター装置３におけるベース板１４のリブ２０は飾り縁部５のリブよりも高く、軒天井板２８の外端縁が当接する高さである。
このように換気フレーム２とシャッター装置３を一体化したものを軒天構造部分（図５）の軒天井材２８と鼻隠し２９との間に形成された換気用間隙３０に取り付ける。すなわち、鼻隠し２９と軒天井材２８を取り付ける前に、下地板３１の外面に換気フレーム２の取り付け部４を当て、下地板３１の下面に換気フレーム２の段部７とベース板１４の上水平部１７を挟み込むようにして当て付け、取り付け部４と段部７を釘打ちなどで下地板３１に固定する。
【００１３】
ついで、軒天井材２８の外端縁をベース板１４のリブ２０に軽く当接させ、また、軒天井材２８の外縁部を飾り縁部５の内端部に載置して固定する。そして、鼻隠し２９を取り付けて軒天換気装置１の取り付けを完了する。多少乱暴な取り付け施工をしても軒天井材の外端縁はベース板１４のリブ２０が防壁となってシャッター板１５に接触することはなく、シャッター板１５の移動が阻害されるということがない。また、換気フレーム２の内端縁であるリブ１１は、取り付け部４がわずかに飾り縁部５側へ傾斜していることにより、その分上方へ持ち上がる傾向となり、軒天井材２８の下面ヘぴったりと接触して隙間が生じず、見栄えが良い。
防火指定のない区域では換気フレーム２だけを鼻隠し２９と軒天井板２８の外端縁との間に形成されている換気用間隙３０に取り付ける。取り付け手順はシャッター装置３を取り付けてある前記換気装置の場合とまったく同じである。
なお、軒天換気装置１は、図５のような軒先ばかりではなく、図６のように軒元に取り付けることもある。この場合、軒天換気装置１は、換気フレーム２の取り付け板４における仮止め爪１０の打ち出し方向を逆にするだけで構成することができる。符合３２は建物の外壁である。
【００１４】
また、シャッター装置３において、シャッター板１５は軒天の長手方向へスライド移動し、内側へ張り出すような動きはないから、シャッター板１５が軒天井材２８の外縁に接触するなど、他の部材と衝突して移動が阻害される恐れは極めて少ない。
換気フレーム２の寸法は一例として長さ４５５ｍｍ、平面視幅寸法３５．８ｍｍ、正面視高さ寸法５９ｍｍである。シャッター装置３は換気フレーム２に適合させた大きさとし、ベース板１４、シャッター板１５に設ける窓２１，２４は３０×１９ｍｍである。窓２１、２４は、前記の４５５ｍｍの長さ範囲に７個を設ける。換気フレーム２、シャッター装置３は、施工者の便利を考慮して４５５ｍｍを単位としてその整数倍のものを準備しておくことがある。
【図面の簡単な説明】
【００１５】
【図１】全体の斜視図（内側から見ている）
【図２】（イ）は全体を分解して示す斜視図  （ロ）は一部を拡大して示す断面図
【図３】横断面図（ハッチングを省略）
【図４】正面図
【図５】取り付けた状態を示す軒天部分の断面図
【図６】他の取り付け状態を示す軒天部分の断面図
【符号の説明】
【００１６】
１  軒天換気装置
２  換気フレーム
３  シャッター装置
４  取り付け部
５  飾り縁部
６  被覆部
７  段部
８  垂直部
９  釘打ち用の孔
１０  仮止め爪
１１  リブ
１２  スリット
１３  フード
１４  ベース板
１５  シャッター板
１６  引きばね
１７  上水平部
１８  下水平部
１９  垂直部
２０  リブ
２１  窓孔（ベース板）
２２  ガイド爪
２３  温度ヒューズ取り付け部
２４  窓孔(シャッター板)
２５  温度ヒューズ取り付け部
２６  ばね掛け部
２７  ばね掛け部
２８  軒天井材
２９  鼻隠し
３０  換気用間隙
３１  下地板
３２  外壁
３３  張り出し部
【図１】
2005030166.tif 000003
【図２】
2005030166.tif 000004
【図３】
2005030166.tif 000005
【図４】
2005030166.tif 000006
【図５】
2005030166.tif 000007
【図６】
2005030166.tif 000008